【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
マルチプラットフォーム双方向メディアガイダンスアプリケーションのユーザインターフェイスを個人化するための方法であって、
第１のプラットフォーム上に実現された双方向メディアガイダンスアプリケーションに、前記ユーザインターフェイスを表示するステップと、
ユーザに、前記ユーザインターフェイスに表示されるべき１つ以上のユーザインターフェイスモジュールを選択するように促すステップと、
前記１つ以上のユーザインターフェイスモジュールのユーザ選択を受信するステップと、
前記表示されるユーザインターフェイスを、前記１つ以上の選択されたユーザインターフェイスモジュールを含むように更新するステップと、
前記１つ以上の選択されたユーザインターフェイスモジュールを、第２のプラットフォームのユーザインターフェイス内に提供するステップと、を含む、方法。
【請求項２】
前記双方向メディアガイダンスアプリケーションとのユーザ対話をモニタするステップと、
前記モニタされたユーザ対話に応じて、前記１つ以上の選択されたユーザインターフェイスモジュールのうちの少なくとも１つをカスタマイズするステップと、をさらに含む、請求項１に記載の方法。
【請求項３】
１つ以上のユーザインターフェイスモジュールは、前記モニタされたユーザ対話に基づき、前記メディアガイダンスアプリケーションによって、前記ユーザに推奨される、請求項２に記載の方法。
【請求項４】
前記カスタマイズに対応して、集中ユーザプロファイルを更新するステップをさらに含み、前記集中ユーザプロファイルは、少なくとも１つのユーザインターフェイスモジュールと、前記少なくとも１つのユーザインターフェイスモジュールに関連するカスタマイズ設定と、を含む、請求項２に記載の方法。
【請求項５】
前記ユーザの場所を判断するステップと、
前記判断された場所に対応して、前記１つ以上の選択されたユーザインターフェイスモジュールのうちの少なくとも１つをカスタマイズするステップと、をさらに含む、請求項１に記載の方法。
【請求項６】
前記ユーザに、前記第１のプラットフォームで前記１つ以上の選択されたユーザインターフェイスモジュールを構成するように促すステップと、前記第２のプラットフォームで前記ユーザインターフェイス内に前記１つ以上の選択されたユーザインターフェイスモジュールの前記構成を、自動的に適用するステップと、をさらに含む、請求項１に記載の方法。
【請求項７】
前記ユーザインターフェイスで、１つ以上のユーザインターフェイスモジュールを表示するステップであって、前記１つ以上のモジュールは、メディア情報を含む、ステップと、
ユーザに、前記ユーザインターフェイスに追加されるべき、追加ユーザインターフェイスモジュールを選択するように促すステップと、
表示されるユーザインターフェイスを、前記追加ユーザインターフェイスモジュールを含むように更新するステップと、
前記双方向メディアガイダンスアプリケーションとのユーザ対話をモニタするステップと、
前記モニタされたユーザ対話に応じて、前記ユーザインターフェイスモジュールのうちの少なくとも１つをカスタマイズするステップと、
をさらに含む、請求項１に記載の方法。
【請求項８】
個人化されたマルチプラットフォーム双方向メディアガイダンスアプリケーションであって、
第１のプラットフォーム上の双方向メディアガイダンスアプリケーションに表示される、ユーザインターフェイスと、
前記ユーザインターフェイス内に表示可能な１つ以上のユーザ選択可能なインターフェイスモジュールと、
前記ユーザインターフェイスを、前記１つ以上のユーザインターフェイスモジュールのユーザ選択を含むように更新するためのディスプレイと、
前記１つ以上の選択されたユーザインターフェイスモジュールにアクセスするための、第２のプラットフォームのユーザインターフェイスと、を含む、マルチプラットフォーム双方向メディアガイダンスアプリケーション。
【請求項９】
前記双方向メディアガイダンスアプリケーションとのユーザ対話をモニタするためのモニタをさらに含み、
前記１つ以上の選択されたユーザインターフェイスモジュールのうちの少なくとも１つは、前記モニタされたユーザ対話に対応して、前記メディアガイダンスアプリケーションによってカスタマイズされる、請求項８に記載のアプリケーション。
【請求項１０】
前記１つ以上のユーザインターフェイスモジュールは、前記モニタされたユーザ対話に基づき、前記メディアガイダンスアプリケーションによって前記ユーザに推奨される、請求項９に記載のアプリケーション。
【請求項１１】
前記カスタマイズに対応して更新される、集中ユーザプロファイルをさらに含み、前記集中ユーザプロファイルは、少なくとも１つのユーザインターフェイスモジュールと、前記少なくとも１つのユーザインターフェイスモジュールに関連するカスタマイズ設定と、を含む、請求項９に記載のアプリケーション。
【請求項１２】
前記ユーザの場所は、前記メディアガイダンスアプリケーションによって判断され、
前記１つ以上の選択されたユーザインターフェイスモジュールのうちの少なくとも１つは、前記判断された場所に対応してカスタマイズされる、請求項８に記載のアプリケーション。
【請求項１３】
前記１つ以上の選択されたユーザインターフェイスモジュールは、前記第１のプラットフォームで構成され、前記１つ以上の選択されたユーザインターフェイスモジュールの前記構成は、前記第２のプラットフォームの前記ユーザインターフェイスに自動的に適用される、請求項８に記載のアプリケーション。
【請求項１４】
前記ユーザインターフェイス内に表示可能な１つ以上のユーザインターフェイスモジュールであって、前記１つ以上のモジュールは、メディア情報を含む、１つ以上のユーザインターフェイスモジュールと、
前記ユーザインターフェイスに追加されるように適応された、追加のユーザ選択可能なインターフェイスと、
前記表示されるユーザインターフェイスを、前記追加ユーザインターフェイスモジュールのユーザ選択を含むように更新するためのディスプレイと、
前記双方向メディアガイダンスアプリケーションとのユーザ対話をモニタするためのモニタと、をさらに含み、
前記ユーザインターフェイスモジュールのうちの少なくとも１つは、前記モニタされたユーザ対話に対応してカスタマイズされる、請求項８に記載のアプリケーション。
【手続補正２】
【補正対象書類名】明細書
【補正対象項目名】００１１
【補正方法】変更
【補正の内容】
【００１１】
ダッシュボードアプリケーションは、ユーザが、パーソナルコンピュータ、テレビ、または携帯デバイスなどのデバイスを介して、同一の個人化されたコンテンツ一覧にアクセスし得る、統合されたインターフェイスを提供する。ダッシュボードアプリケーションの表示形式は、その根本的なアーキテクチャと互換性を有するため、およびメディアガイダンスダッシュボードアプリケーションによるユーザのナビゲーションを促進するために、適用可能である。
例えば、本発明は以下の項目を提供する。
（項目１）
マルチプラットフォーム双方向メディアガイダンスアプリケーションのユーザインターフェイスを個人化するための方法であって、
第１のプラットフォーム上に実現された双方向メディアガイダンスアプリケーションに、上記ユーザインターフェイスを表示するステップと、
ユーザに、上記ユーザインターフェイスに表示されるべき１つ以上のユーザインターフェイスモジュールを選択するように促すステップと、
上記１つ以上のユーザインターフェイスモジュールのユーザ選択を受信するステップと、
上記表示されるユーザインターフェイスを、上記１つ以上の選択されたユーザインターフェイスモジュールを含むように更新するステップと、
上記１つ以上の選択されたユーザインターフェイスモジュールを、第２のプラットフォームのユーザインターフェイス内に提供するステップと、を含む、方法。
（項目２）
上記双方向メディアガイダンスアプリケーションとのユーザ対話をモニタするステップと、
上記１つ以上の選択されたユーザインターフェイスモジュールの少なくとも１つを、上記モニタされたユーザ対話に応じてカスタマイズするステップと、をさらに含む、項目１に記載の方法。
（項目３）
上記ユーザインターフェイスは、少なくとも１つのデフォルトユーザインターフェイスモジュールを含む、項目１に記載の方法。
（項目４）
１つ以上のユーザインターフェイスモジュールは、上記モニタされたユーザ対話に基づき、上記メディアガイダンスアプリケーションによって、上記ユーザに推奨される、項目２に記載の方法。
（項目５）
上記カスタマイズに対応して、集中ユーザプロファイルを更新するステップをさらに含み、上記集中ユーザプロファイルは、少なくとも１つのユーザインターフェイスモジュールと、上記少なくとも１つのユーザインターフェイスモジュールに関連するカスタマイズ設定と、を含む、項目２に記載の方法。
（項目６）
上記ユーザの場所を判断するステップと、上記判断された場所に対応して、上記１つ以上の選択されたユーザインターフェイスモジュールのうちの少なくとも１つをカスタマイズするステップと、をさらに含む、項目１に記載の方法。
（項目７）
上記１つ以上のユーザインターフェイスモジュールは、上記双方向メディアガイダンスアプリケーションに関連する、１つ以上の既存のテーマから選択される、項目１に記載の方法。
（項目８）
上記ユーザに、上記第１のプラットフォームで上記１つ以上の選択されたユーザインターフェイスモジュールを構成するように促すステップと、上記第２のプラットフォームで上記ユーザインターフェイス内に上記１つ以上の選択されたユーザインターフェイスモジュールの上記構成を、自動的に適用するステップと、をさらに含む、項目１に記載の方法。
（項目９）
上記１つ以上のインターフェイスモジュールは、上記ユーザインターフェイス内から直接選択される、項目１に記載の方法。
（項目１０）
上記１つ以上のインターフェイスモジュールは、「トップ・オンデマンド」モジュール、「推奨番組編成」モジュール、「グリッドガイド」モジュール、「マイビデオボールト」モジュール、「ホットリスト」モジュール、「番組情報」モジュール、「ウォッチリスト」モジュール、「購入ＶＯＤ」モジュール、「録画番組」モジュール、「録画予定番組」モジュール、「最も人気／最高評価」モジュール、「検索」モジュール、「番組／映画ブラウザ」モジュール、「編集確認」モジュール、「ビデオプレビュー」モジュール、および「ＴＶプランナー」モジュールからなる群から選択される、項目１に記載の方法。
（項目１１）
マルチプラットフォーム双方向メディアガイダンスアプリケーションのユーザインターフェイスを個人化するための方法であって、
第１のプラットフォーム上に実現された双方向メディアガイダンスアプリケーションのユーザインターフェイスにアクセスするステップであって、上記ユーザインターフェイスは、１つ以上のユーザインターフェイスモジュールのレイアウトを指定する、ステップと、
上記ユーザインターフェイスのうちの少なくとも１つのユーザインターフェイスモジュールを読み込むステップであって、上記少なくとも１つのユーザインターフェイスモジュールは、複数のプラットフォームをサポートする、ステップと、
上記第１のプラットフォームの上記双方向テレビ番組ガイドシステム内の上記少なくともユーザインターフェイスモジュールを含む、上記ユーザインターフェイスを表示するステップと、を含む、方法。
（項目１２）
第２のプラットフォーム上に実現された第２のユーザインターフェイスにアクセスするステップと、上記第２のプラットフォームの第２のユーザインターフェイス内に表示されるべき、上記少なくとも１つのユーザインターフェイスモジュールを提供するステップと、をさらに含む、項目１１に記載の方法。
（項目１３）
上記双方向メディアガイダンスアプリケーションとのユーザ対話をモニタするステップと、
上記モニタされたユーザ対話に対応して、上記１つ以上の選択されたユーザインターフェイスモジュールのうちの少なくとも１つをカスタマイズするステップと、をさらに含む、項目１１に記載の方法。
（項目１４）
上記１つ以上のユーザインターフェイスモジュールは、上記モニタされたユーザ対話に基づき、上記メディアガイダンスアプリケーションシステムによって上記ユーザに推奨される、項目１３に記載の方法。
（項目１５）
上記ユーザインターフェイスは、上記モニタされたユーザ対話に基づき、上記メディアガイダンスアプリケーションシステムによって供給される、少なくとも１つのデフォルトインターフェイスモジュールを含む、項目１３に記載の方法。
（項目１６）
上記カスタマイズに対応して、集中ユーザプロファイルを更新するステップをさらに含み、上記集中ユーザプロファイルは、少なくとも１つのユーザインターフェイスモジュールと、上記少なくとも１つのユーザインターフェースモジュールに関連するカスタマイズ設定と、を含む、項目１３に記載の方法。
（項目１７）
上記ユーザの場所を判断するステップと、
上記判断された場所に対応して、上記１つ以上の選択されたユーザインターフェイスモジュールのうちの少なくとも１つをカスタマイズするステップと、をさらに含む、項目１１に記載の方法。
（項目１８）
上記１つ以上のユーザインターフェイスモジュールは、「トップ・オンデマンド」モジュール、「推奨番組編成」モジュール、「グリッドガイド」モジュール、「マイビデオボールト」モジュール、「ホットリスト」モジュール、「番組情報」モジュール、「ウォッチリスト」モジュール、「購入ＶＯＤ」モジュール、「録画番組」モジュール、「録画予定番組」モジュール、「最も人気／最高評価」モジュール、「検索」モジュール、「番組／映画ブラウザ」モジュール、「編集確認」モジュール、「ビデオプレビュー」モジュール、および「ＴＶプランナー」モジュールからなる群から選択される、項目１１に記載の方法。
（項目１９）
マルチプラットフォーム双方向メディアガイダンスアプリケーションのユーザインターフェイスを個人化するための方法であって、
上記ユーザインターフェイスを、１つ以上のユーザインターフェイスモジュールを含む、双方向メディアガイダンスアプリケーションに表示するステップであって、上記１つ以上のモジュールは、メディア情報を含む、ステップと、
ユーザに、上記ユーザインターフェイスに追加されるべき、追加ユーザインターフェイスモジュールを選択するように促すステップと、
表示されるユーザインターフェイスを、上記追加ユーザインターフェイスモジュールを含むように更新するステップと、
上記双方向メディアガイダンスアプリケーションとのユーザ対話をモニタするステップと、
上記モニタされたユーザ対話に応じて、上記ユーザインターフェイスモジュールのうちの少なくとも１つをカスタマイズするステップと、を含む、方法。
（項目２０）
上記１つ以上のユーザインターフェイスモジュールは、「トップ・オンデマンド」モジュール、「推奨番組編成」モジュール、「グリッドガイド」モジュール、「マイビデオボールト」モジュール、「ホットリスト」モジュール、「番組情報」モジュール、「ウォッチリスト」モジュール、「購入ＶＯＤ」モジュール、「録画番組」モジュール、「録画予定番組」モジュール、「最も人気／最高評価」モジュール、「検索」モジュール、「番組／映画ブラウザ」モジュール、「編集確認」モジュール、「ビデオプレビュー」モジュール、および「ＴＶプランナー」モジュールからなる群から選択される、項目１９に記載の方法。
（項目２１）
個人化されたマルチプラットフォーム双方向メディアガイダンスアプリケーションであって、
第１のプラットフォーム上の双方向メディアガイダンスアプリケーションに表示される、ユーザインターフェイスと、
上記ユーザインターフェイス内に表示可能な１つ以上のユーザ選択可能なインターフェイスモジュールと、
上記ユーザインターフェイスを、上記１つ以上のユーザインターフェイスモジュールのユーザ選択を含むように更新するためのディスプレイと、
上記１つ以上の選択されたユーザインターフェイスモジュールにアクセスするための、第２のプラットフォームのユーザインターフェイスと、を含む、マルチプラットフォーム双方向メディアガイダンスアプリケーション。
（項目２２）
上記双方向メディアガイダンスアプリケーションとのユーザ対話をモニタするためのモニタをさらに含み、
上記１つ以上の選択されたユーザインターフェイスモジュールのうちの少なくとも１つは、上記モニタされたユーザ対話に対応して、上記メディアガイダンスアプリケーションによってカスタマイズされる、項目２１に記載のアプリケーション。
（項目２３）
上記ユーザインターフェイスは、少なくとも１つのデフォルトユーザインターフェイスモジュールを含む、項目２１に記載のアプリケーション。
（項目２４）
上記１つ以上のユーザインターフェイスモジュールは、上記モニタされたユーザ対話に基づき、上記メディアガイダンスアプリケーションによって上記ユーザに推奨される、項目２２に記載のアプリケーション。
（項目２５）
上記カスタマイズに対応して更新される、集中ユーザプロファイルをさらに含み、上記集中ユーザプロファイルは、少なくとも１つのユーザインターフェイスモジュールと、上記少なくとも１つのユーザインターフェイスモジュールに関連するカスタマイズ設定と、を含む、項目２２に記載のアプリケーション。
（項目２６）
上記ユーザの場所は、上記メディアガイダンスアプリケーションによって判断され、
上記１つ以上の選択されたユーザインターフェイスモジュールのうちの少なくとも１つは、上記判断された場所に対応してカスタマイズされる、項目２１に記載のアプリケーション。
（項目２７）
上記１つ以上のユーザインターフェイスモジュールは、上記双方向メディアガイダンスアプリケーションに関連する、１つ以上の既存のテーマから選択される、項目２１に記載のアプリケーション。
（項目２８）
上記１つ以上の選択されたユーザインターフェイスモジュールは、上記第１のプラットフォームで構成され、上記１つ以上の選択されたユーザインターフェイスモジュールの上記構成は、上記第２のプラットフォームの上記ユーザインターフェイスに自動的に適用される、項目２１に記載のアプリケーション。
（項目２９）
上記１つ以上のインターフェイスモジュールは、上記ユーザインターフェイスから直接選択される、項目２１に記載のアプリケーション。
（項目３０）
上記１つ以上のユーザインターフェイスモジュールは、「トップ・オンデマンド」モジュール、「推奨番組編成」モジュール、「グリッドガイド」モジュール、「マイビデオボールト」モジュール、「ホットリスト」モジュール、「番組情報」モジュール、「ウォッチリスト」モジュール、「購入ＶＯＤ」モジュール、「録画番組」モジュール、「録画予定番組」モジュール、「最も人気／最高評価」モジュール、「検索」モジュール、「番組／映画ブラウザ」モジュール、「編集確認」モジュール、「ビデオプレビュー」モジュール、および「ＴＶプランナー」モジュールからなる群から選択される、項目２１に記載のアプリケーション。
（項目３１）
マルチプラットフォーム双方向メディアガイダンスアプリケーションであって、
第１のプラットフォーム上の双方向メディアガイダンスアプリケーションのユーザインターフェイスであって、１つ以上のユーザインターフェイスモジュールのレイアウトを指定する、ユーザインターフェイスと、
上記ユーザインターフェイスから取り出し可能な少なくとも１つのユーザインターフェイスモジュールであって、複数のプラットフォームをサポートする、ユーザインターフェイスモジュールと、
上記第１のプラットフォーム上の上記双方向テレビ番組ガイドシステム内の上記少なくとも１つのユーザインターフェイスモジュールを含む、ユーザインターフェイスを表示するためのディスプレイと、を含む、マルチプラットフォーム双方向メディアガイダンスアプリケーション。
（項目３２）
第２のプラットフォーム上に実現された第２のユーザインターフェイスをさらに含み、
上記少なくとも１つのユーザインターフェイスモジュールは、上記第２のプラットフォーム上の上記第２のユーザインターフェイスに表示されるように提供される、項目３１に記載のアプリケーション。
（項目３３）
上記双方向メディアガイダンスアプリケーションとのユーザ対話をモニタするためのモニタをさらに含み、
上記１つ以上の選択されたユーザインターフェイスモジュールのうちの少なくとも１つは、上記モニタされたユーザ対話に対応してカスタマイズされる、項目３１に記載のアプリケーション。
（項目３４）
上記１つ以上のユーザインターフェイスモジュールは、上記モニタされたユーザ対話に基づき、上記メディアガイダンスアプリケーションシステムによって上記ユーザに推奨される、項目３３に記載のアプリケーション。
（項目３５）
上記ユーザインターフェイスは、上記モニタされたユーザ対話に基づき、上記メディアガイダンスアプリケーションシステムによって供給される、少なくとも１つのデフォルトインターフェイスモジュールを含む、項目３３に記載のアプリケーション。
（項目３６）
上記カスタマイズに対応して更新される、集中ユーザプロファイルをさらに含み、上記集中ユーザプロファイルは、少なくとも１つのユーザインターフェイスモジュールと、上記少なくとも１つのユーザインターフェイスモジュールに関連するカスタマイズ設定と、を含む、項目３３に記載のアプリケーション。
（項目３７）
上記ユーザの場所は、上記メディアガイダンスアプリケーションによって判断され、上記１つ以上の選択されたユーザインターフェイスモジュールのうちの少なくとも１つは、上記判断された場所に対応してカスタマイズされる、項目３１に記載のアプリケーション。
（項目３８）
上記１つ以上のユーザインターフェイスモジュールは、「トップ・オンデマンド」モジュール、「推奨番組編成」モジュール、「グリッドガイド」モジュール、「マイビデオボールト」モジュール、「ホットリスト」モジュール、「番組情報」モジュール、「ウォッチリスト」モジュール、「購入ＶＯＤ」モジュール、「録画番組」モジュール、「録画予定番組」モジュール、「最も人気／最高評価」モジュール、「検索」モジュール、「番組／映画ブラウザ」モジュール、「編集確認」モジュール、「ビデオプレビュー」モジュール、および「ＴＶプランナー」モジュールからなる群から選択される、項目３１に記載のアプリケーション。
（項目３９）
マルチプラットフォーム双方向メディアガイダンスアプリケーションであって、
上記双方向メディアガイダンスアプリケーションに表示可能であり、かつ１つ以上のユーザインターフェイスモジュールを含み、上記１つ以上のユーザインターフェイスモジュールは、メディア情報を含む、ユーザインターフェイスと、
上記ユーザインターフェイスに追加されるように適応された、追加のユーザ選択可能なインターフェイスと、
上記表示されるユーザインターフェイスを、上記追加ユーザインターフェイスモジュールのユーザ選択を含むように更新するためのディスプレイと、
上記双方向メディアガイダンスアプリケーションとのユーザ対話をモニタするためのモニタと、を含み、
上記ユーザインターフェイスモジュールのうちの少なくとも１つは、上記モニタされたユーザ対話に対応してカスタマイズされる、マルチプラットフォーム双方向メディアガイダンスアプリケーション。
（項目４０）
上記１つ以上のユーザインターフェイスモジュールは、「トップ・オンデマンド」モジュール、「推奨番組編成」モジュール、「グリッドガイド」モジュール、「マイビデオボールト」モジュール、「ホットリスト」モジュール、「番組情報」モジュール、「ウォッチリスト」モジュール、「購入ＶＯＤ」モジュール、「録画番組」モジュール、「録画予定番組」モジュール、「最も人気／最高評価」モジュール、「検索」モジュール、「番組／映画ブラウザ」モジュール、「編集確認」モジュール、「ビデオプレビュー」モジュール、および「ＴＶプランナー」モジュールからなる群から選択される、項目３９に記載のアプリケーション。